(57)【要約】【課題】外装材の取付け性が良好で構造が複雑でない外装材の取付け構造と、外装材の取付け性が良好な外装材の取付け方法を提供すること。【解決手段】建物１００の外壁から持出されている上下の位置にある少なくとも二つの持出し材２０を一組の持出し材として、外壁の幅方向に間隔を置いて配設されている二組以上の持出し材２０と、各組の持出し材２０に取付けられている縦下地材３０と、二組の縦下地材３０に固定される上下の位置にある一組の横桟７１，７２を少なくとも含む外装材９０と、を有し、縦下地材３０は、下方の横桟７２が係合して載置される係合金具５０と、上方の横桟７１が固定される固定金具４０と、を有する外装材の取付け構造２００である。【選択図】図７
2019163664.tif 000002
【特許請求の範囲】
【請求項１】
建物の外壁から持出されている上下の位置にある少なくとも二つの持出し材を一組の持出し材として、該外壁の幅方向に間隔を置いて配設されている二組以上の持出し材と、
各組の前記持出し材に取付けられている縦下地材と、
二組の前記縦下地材に固定される上下の位置にある一組の横桟を少なくとも含む外装材と、を有し、
前記縦下地材は、下方の前記横桟が係合して載置される係合金具と、上方の前記横桟が固定される固定金具と、を有することを特徴とする、外装材の取付け構造。
【請求項２】
前記固定金具は、ボルトが螺合される第一ボルト孔を有する金具片と、該第一ボルト孔に対して該金具片の下方から螺合されているボルトと、を含み、
上方の前記横桟に開設されている第二ボルト孔が前記ボルトに対して上方から挿通され、ナット締めされていることを特徴とする、請求項１に記載の外装材の取付け構造。
【請求項３】
前記持出し材は、前記外壁が固定される前記建物の構造躯体に固定され、該外壁の目地から持出されていることを特徴とする、請求項１又は２に記載の外装材の取付け構造。
【請求項４】
一組の前記持出し材に対して、該持出し材の左右の各組に対応する二つの前記縦下地材が取付けられていることを特徴とする、請求項１乃至３のいずれか一項に記載の外装材の取付け構造。
【請求項５】
前記固定金具と前記係合金具はいずれも、前記縦下地材の有する角部に係合する係合片を有しており、
前記固定金具と前記係合金具はいずれも、それぞれの前記係合片を前記縦下地材に対して係合させ、回り止めされた状態で一本のボルトにて該縦下地材に固定されていることを特徴とする、請求項１乃至４のいずれか一項に記載の外装材の取付け構造。
【請求項６】
前記外装材が、以下のいずれか一種の形態であることを特徴とする、請求項１乃至５のいずれか一項に記載の外装材の取付け構造。
（Ａ）一組の前記横桟と複数のルーバーを有する外装材
（Ｂ）一組の前記横桟と植栽パネルを有する外装材
（Ｃ）一組の前記横桟と蔀戸を有する外装材
（Ｄ）一組の前記横桟と広告掲示板を有する外装材
（Ｅ）一組の前記横桟と太陽光パネルを有する外装材
【請求項７】
建物の外壁から持出されている上下の位置にある少なくとも二つの持出し材を一組の持出し材として、該外壁の幅方向に間隔を置いて配設されている二組以上の持出し材に対して、それぞれ縦下地材を取付ける、縦下地材取付け工程と、
二組の前記縦下地材に対して、上下の位置にある一組の横桟を少なくとも含む外装材を取付ける外装材取付け工程と、を有し、
前記縦下地材取付け工程では、前記縦下地材の取付けに先行して、該縦下地材に対して、下方の前記横桟が係合して載置される係合金具と、上方の前記横桟が固定される固定金具とを取付けておき、
前記外装材取付け工程では、前記外装材の下方の前記横桟を前記係合金具に係合させて該係合金具に該外装材を載置した後、該外装材の上方の前記横桟を前記固定金具に固定することを特徴とする、外装材の取付け方法。
【請求項８】
建物の外壁から持出されている上下の位置にある少なくとも二つの持出し材を一組の持出し材として、該外壁の幅方向に間隔を置いて配設されている二組以上の持出し材に対して、それぞれ縦下地材を取付ける、縦下地材取付け工程と、
上下の位置にある一組の横桟を少なくとも含む外装材を前記縦下地材に取付けるに当たり、前記縦下地材に対して、下方の前記横桟が係合して載置される係合金具と、上方の前記横桟が固定される固定金具とを取付ける金具取付け工程と、
二組の前記縦下地材に対して、前記外装材を取付ける外装材取付け工程と、を有し、
前記外装材取付け工程では、前記外装材の下方の前記横桟を前記係合金具に係合させて該係合金具に該外装材を載置した後、該外装材の上方の前記横桟を前記固定金具に固定することを特徴とする、外装材の取付け方法。
【請求項９】
前記固定金具は、ボルトが螺合される第一ボルト孔を有する金具片と、該第一ボルト孔に対して該金具片の下方から螺合されているボルトと、を含み、
前記外装材取付け工程では、上方の前記横桟に開設されている第二ボルト孔を、前記固定金具の前記ボルトに対して上方から挿通することにより該横桟を該固定金具に仮固定し、ナット締めして本固定することを特徴とする、請求項７又は８に記載の外装材の取付け方法。
【請求項１０】
前記固定金具と前記係合金具はいずれも、前記縦下地材の有する角部に係合する係合片を有しており、
前記縦下地材に対する前記固定金具と前記係合金具の取付けはいずれも、前記係合片を該縦下地材の角部に係合させ、該縦下地材に対して回り止めされた状態で一本のボルトにて固定することを特徴とする、請求項７乃至９のいずれか一項に記載の外装材の取付け方法。
【発明の詳細な説明】
【技術分野】
【０００１】
本発明は、建物の外壁に対する外装材の取付け構造と取付け方法に関する。
【背景技術】
【０００２】
既設の建物や新設の建物において、建物の外壁の外側に、外観意匠性を高めるための外装材が取付けられることがある。例えば、建物の玄関扉を含む正面側の外壁であって、建物前面の通路に面する外壁は、建物の外観意匠性に影響を与える象徴的な外壁となる、所謂ファサードとなり得ることから、このファサードの一部に外装材を取付ける場合がある。なお、集客性を有する店舗においては、広告掲示板を有する外装材を店舗の正面側の外壁に取り付ける場合がある。
【０００３】
このような外装材を建物の外壁に取付けるに当たり、建物の構造躯体とは別に外装材を取付けるための架構を建物の外周に設けることにすると、そのための基礎の施工が必要になるなど、外装材の施工が大掛かりとなって工期面及び工費面において負荷が増大する。そこで、建物の表面に外装材を取付けるための外装材取付け装置が提案されている。この装置は、取付金具をＡＬＣ外壁を貫通した抜き孔から挿入して建物の躯体に固定し、取付金具に固定した胴縁金具を介して外装材を取り付ける装置である。取付金具は固定金物とスライド金物を長さ方向に摺動自在に組み付け、両者は板を横切る方向に設けたボルトによって固定して取付金具を長さ方向に伸縮自在としている。取付金具の固定金物は長手方向に平行に設けた横長穴とスライド金物にあけたボルト穴を一致させ、横長穴とボルト穴にボルトを通して固定するものである（例えば、特許文献１参照）。
【先行技術文献】
【特許文献】
【０００４】
【特許文献１】特許第３７０９５５６号公報
【発明の概要】
【発明が解決しようとする課題】
【０００５】
しかしながら、特許文献１に記載の外装材取付け装置は、この外装材取付け装置に縦胴縁と横胴縁を取付け、これら縦胴縁と横胴縁に対して外装材を取付けるものであるが、外装材を具体的にどのように取付けるかについての開示がない。仮に、縦胴縁と横胴縁の全てに対して外装材をボルト等で固定するとした場合、外装材の取付けに多大な手間がかかることは容易に理解できる。また、特許文献１に記載の外装材取付け装置は、固定金物とスライド金物が摺動自在に組み付けられ、板を横切る方向に設けたボルトによって双方が固定されて取付金具を長さ方向に伸縮自在としていることから、構造が複雑で製作コストがかかることは否めない。
【０００６】
本発明は上記する問題に鑑みてなされたものであり、外装材の取付け性が良好で構造が複雑でない外装材の取付け構造と、外装材の取付け性が良好な外装材の取付け方法を提供することを目的としている。
【課題を解決するための手段】
【０００７】
前記目的を達成すべく、本発明による外装材の取付け構造の一態様は、建物の外壁から持出されている上下の位置にある少なくとも二つの持出し材を一組の持出し材として、該外壁の幅方向に間隔を置いて配設されている二組以上の持出し材と、
各組の前記持出し材に取付けられている縦下地材と、
二組の前記縦下地材に固定される上下の位置にある一組の横桟を少なくとも含む外装材と、を有し、
前記縦下地材は、下方の前記横桟が係合して載置される係合金具と、上方の前記横桟が固定される固定金具と、を有することを特徴とする。
【０００８】
本態様によれば、建物の外壁から持出されている持出し材に取付けられている縦下地材に対して外装材が取付けられていることにより、建物の構造躯体とは別に外装材を取付けるための架構を建物の外周に設ける必要がなく、シンプルな構造の外装材の取付け構造を提供することができる。外装材が取付けられる建物は、新築の建物であってもよいし、既設の建物であってもよいが、新築の建物の場合は持出し材を外壁から持出した状態で建物を施工できることからより好ましい。ここで、持出し材としては、ボルト孔を有するガセットプレートなどを挙げることができる。
【０００９】
ここで、「上下の位置にある少なくとも二つの持出し材を一組の持出し材として」とは、一つの縦下地材を外壁に固定するための二つもしくは三つ以上の持出し材を意味している。一般に縦下地材は鉛直姿勢で建物の外壁に固定されることから、少なくとも二つの持出し材が上下の位置関係にある。また、「外壁の幅方向に間隔を置いて配設されている二組以上の持出し材と、各組の前記持出し材に取付けられている縦下地材」とは、建物の外壁における水平方向を幅方向とし、この幅方向に間隔を置いて二組以上の持出し材が設けられ、従って二本以上の縦下地材が取付けられていることを意味する。さらに、「二組の前記縦下地材に固定される上下の位置にある一組の横桟を少なくとも含む外装材」とは、建物の外壁の幅方向に間隔を置いて配設された二本以上の縦下地材の中で、対応する二本の縦下地材を一組の縦下地材とし、この一組の縦下地材に対して外装材が固定されることを意味する。一組の縦下地材が鉛直方向に長い場合は、例えば平面形状が矩形の複数の外装材を、この一組の縦下地材に対して上下方向に固定することができる。
【００１０】
外装材は、上下の位置にある一組の横桟を少なくとも含んでおり、この一組の横桟は、金属片から形成されてもよいし、外装材を形成する他部材と同素材の桟から形成されてもよい。例えば、一組の横桟に対して、複数の縦桟からなるルーバーが取付けられて外装材が形成される場合に、このルーバーが木桟からなる場合に、一組の横桟は金属片であってもよいしルーバーと同素材の木桟であってもよい。
【００１１】
本態様の外装材の取付け構造では、縦下地材が、下方の横桟が係合して載置される係合金具と、上方の横桟が固定される固定金具と、を有すること、言い換えれば、縦下地材に対して上下の横桟が全てボルト等で固定されるものでないことから、縦下地材に対する外装材の取付け性が良好になる。また、外装材の下方の横桟は、縦下地材に取付けられている係合金具に対して係合した状態で載置されることから、下方の横桟がボルト等で固定されていなくても、係合金具に対して抜け出しできない態様で載置される。
【００１２】
また、本発明による外装材の取付け構造の他の態様において、前記固定金具は、ボルトが螺合される第一ボルト孔を有する金具片と、該第一ボルト孔に対して該金具片の下方から螺合されているボルトと、を含み、
上方の前記横桟に開設されている第二ボルト孔が前記ボルトに対して上方から挿通され、ナット締めされていることを特徴とする。
【００１３】
本態様によれば、固定金具を形成する金具片に対してボルトが上向きで固定されていることにより、外装材の上方の横桟のボルト孔（第二ボルト孔）がこの上向きのボルトに対して上方から遊嵌され、上方から容易にナット締めできる。なお、金具片の第一ボルト孔の厚みは数ｍｍ程度であるが、この数ｍｍ厚のボルト孔の壁面に螺子切りがあり、この螺子切りに対してボルトを螺合させることにより、金具片に対して下方から上向き姿勢で螺合しているボルトを落下させることなく固定することができる。
【００１４】
また、本発明による外装材の取付け構造の他の態様において、前記持出し材は、前記外壁が固定される前記建物の構造躯体に固定され、該外壁の目地から持出されていることを特徴とする。
【００１５】
本態様によれば、外壁を形成する外壁パネルの並びに影響を与えることなく、建物の外壁から持出し材を持出することができる。外壁パネルは、窯業系サイディング材や金属サイディング材等から形成されるパネルが外壁の上下方向と幅方向（水平方向）に取付けられ、外壁の幅方向には所定の間隔で縦目地が設けられることが一般的である。そこで、この縦目地に対応する位置において、構造躯体を形成する例えば柱た梁等にガセットプレート等からなる持出し材を溶接等で固定し、縦目地において構造躯体から外壁の外側に持出し材を持出すことができる。
【００１６】
また、本発明による外装材の取付け構造の他の態様は、一組の前記持出し材に対して、該持出し材の左右の各組に対応する二つの前記縦下地材が取付けられていることを特徴とする。
【００１７】
本態様によれば、一組の持出し材に対して、この持出し材の左右の各組に対応する二つの縦下地材が取付けられていることにより、可及的に少ない数の持出し材にて、縦下地材を介して外装材を取付けることができる。例えば、建物の一つの外壁側面において、四組の持出し材が設けられている場合においては、中央の二組の持出し材には二本の縦下地材が取付けられることにより（例えばガセットプレートの左右に縦下地材を取付ける）、左右端の組の持出し材は一本の縦下地材が取付けられるとして、合計六本の縦下地材が取付けられることになる。そして、二本の縦下地材に例えば一つの外装材が取付けられることにすると、合計三つの外装材を取付けることができる。
【００１８】
また、本発明による外装材の取付け構造の他の態様において、前記固定金具と前記係合金具はいずれも、前記縦下地材の有する角部に係合する係合片を有しており、
前記固定金具と前記係合金具はいずれも、それぞれの前記係合片を前記縦下地材に対して係合させ、回り止めされた状態で一本のボルトにて該縦下地材に固定されていることを特徴とする。
【００１９】
本態様によれば、固定金具と係合金具がいずれも係合片を有し、この係合片を縦下地材に対して係合させることにより、固定金具や係合金具を縦下地材に対して回り止めされた状態で電動ドライバー等にてボルトナット締めすることができる。このように金具の回り止めが保証されていることから、縦下地材に対する固定金具や係合金具の固定は、一本のボルトと対応するナットのみでよく、良好な組み付け性が得られる。
【００２０】
また、本発明による外装材の取付け構造の他の態様は、前記外装材が、以下のいずれか一種の形態からなることを特徴とする、
（Ａ）一組の前記横桟と複数のルーバーを有する外装材
（Ｂ）一組の前記横桟と植栽パネルを有する外装材
（Ｃ）一組の前記横桟と蔀戸を有する外装材
（Ｄ）一組の前記横桟と広告掲示板を有する外装材
（Ｅ）一組の前記横桟と太陽光パネルを有する外装材。
【００２１】
本態様によれば、建物に好適な外観意匠性を醸し出すことのできる外装材を適用することができる。ここで、ルーバーには、木桟ルーバーの他、樹脂ルーバーや金属ルーバーなど、様々な素材のルーバーが適用でき、さらに、複数の縦桟を有するルーバーや、複数の横桟を有するルーバーなどがある。
【００２２】
また、本発明による外装材の取付け方法の一態様は、建物の外壁から持出されている上下の位置にある少なくとも二つの持出し材を一組の持出し材として、該外壁の幅方向に間隔を置いて配設されている二組以上の持出し材に対して、それぞれ縦下地材を取付ける、縦下地材取付け工程と、
二組の前記縦下地材に対して、上下の位置にある一組の横桟を少なくとも含む外装材を取付ける外装材取付け工程と、を有し、
前記縦下地材取付け工程では、前記縦下地材の取付けに先行して、該縦下地材に対して、下方の前記横桟が係合して載置される係合金具と、上方の前記横桟が固定される固定金具とを取付けておき、
前記外装材取付け工程では、前記外装材の下方の前記横桟を前記係合金具に係合させて該係合金具に該外装材を載置した後、該外装材の上方の前記横桟を前記固定金具に固定することを特徴とする。
【００２３】
本態様によれば、外装材取付け工程において、外装材の下方の横桟を係合金具に係合させて載置した後、外装材の上方の横桟を固定金具に固定することにより、縦下地材に対して上下の横桟が全てボルト等で固定されるものでないことから、縦下地材に対する外装材の取付け性が良好になる。また、持出し材に対する縦下地材の固定に先行して、固定金具や係合金具を縦下地材に地組等で予め取付けておくことにより、持出し材への縦下地材の固定後、縦下地材に対して外装材を速やかに取付けることができる。
【００２４】
また、本発明による外装材の取付け方法の他の態様は、建物の外壁から持出されている上下の位置にある少なくとも二つの持出し材を一組の持出し材として、該外壁の幅方向に間隔を置いて配設されている二組以上の持出し材に対して、それぞれ縦下地材を取付ける、縦下地材取付け工程と、
上下の位置にある一組の横桟を少なくとも含む外装材を前記縦下地材に取付けるに当たり、前記縦下地材に対して、下方の前記横桟が係合して載置される係合金具と、上方の前記横桟が固定される固定金具とを取付ける金具取付け工程と、
二組の前記縦下地材に対して、前記外装材を取付ける外装材取付け工程と、を有し、
前記外装材取付け工程では、前記外装材の下方の前記横桟を前記係合金具に係合させて該係合金具に該外装材を載置した後、該外装材の上方の前記横桟を前記固定金具に固定することを特徴とする。
【００２５】
本態様によっても、外装材取付け工程において、外装材の下方の横桟を係合金具に係合させて載置した後、外装材の上方の横桟を固定金具に固定することにより、縦下地材に対する外装材の取付け性が良好になる。ここで、金具取付け工程と外装材取付け工程には複数の形態がある。その一つの形態は、外壁に取付けられている複数の縦下地材に対して、金具取付け工程にて全ての金具を取付けた後、外装材取付け工程にて全ての外装材を連続的に取付ける形態である。また、他の形態は、金具取付け工程と外装材取付け工程を交互に繰り返す形態である。例えば、金具取付け工程において一つの外装材に対応した金具のみを縦下地材に取り付けた後、外装材取付け工程としてこの一つの外装材を取付け、これを他の外装材に対しても同様に行う形態である。
【００２６】
また、本発明による外装材の取付け方法の他の態様において、前記固定金具は、ボルトが螺合される第一ボルト孔を有する金具片と、該第一ボルト孔に対して該金具片の下方から螺合されているボルトと、を含み、
前記外装材取付け工程では、上方の前記横桟に開設されている第二ボルト孔を、前記固定金具の前記ボルトに対して上方から挿通することにより該横桟を該固定金具に仮固定し、ナット締めして本固定することを特徴とする。
【００２７】
本態様によれば、固定金具を形成する金具片に対してボルトが上向きで固定されていることにより、外装材の上方の横桟の第二ボルト孔をこの上向きのボルトに対して上方から容易に遊嵌し、上方から容易にナット締めすることができる。そのため、外装材の良好な取付け性が得られる。
【００２８】
また、本発明による外装材の取付け方法の他の態様において、前記固定金具と前記係合金具はいずれも、前記縦下地材の有する角部に係合する係合片を有しており、
前記縦下地材に対する前記固定金具と前記係合金具の取付けはいずれも、前記係合片を該縦下地材の角部に係合させ、該縦下地材に対して回り止めされた状態で一本のボルトにて固定することを特徴とする。
【００２９】
本態様によれば、固定金具と係合金具の有する係合片を縦下地材に対して係合させることにより、固定金具や係合金具を縦下地材に対して回り止めされた状態で電動ドライバー等にてボルトナット締めすることができる。このように金具の回り止めが保証されていることから、縦下地材に対する固定金具や係合金具の固定を、一本のボルトと対応するナットのみで行うことが可能になり、良好な組み付け性が得られる。
【発明の効果】
【００３０】
以上の説明から理解できるように、本発明の外装材の取付け構造と取付け方法によれば、外装材の取付け性が良好で構造が複雑でない外装材の取付け構造を提供でき、外装材の取付け性が良好な外装材の取付け方法を提供できる。
【図面の簡単な説明】
【００３１】
【図１】実施形態に係る外装材の取付け方法を説明する工程図である。
【図２】固定金具と係合金具が取付けられている縦下地材の一例の斜視図である。
【図３】図２のIII−III矢視図である。
【図４】図１に続く実施形態に係る外装材の取付け方法を説明する工程図である。
【図５】外装材の一例の斜視図である。
【図６】図５のVI方向の矢視図である。
【図７】図４に続く実施形態に係る外装材の取付け方法を説明する工程図であって、実施形態にかかる外装材の取付け構造をともに示す図である。
【発明を実施するための形態】
【００３２】
以下、実施形態に係る外装材の取付け構造と取付け方法について添付の図面を参照しながら説明する。なお、本明細書及び図面において、実質的に同一の構成要素については、同一の符号を付することにより重複した説明を省く場合がある。
【００３３】
［実施形態に係る外装材の取付け方法と取付け構造］
図１乃至図７を参照して、実施形態に係る外装材の取付け方法と取付け構造を説明する。ここで、図１、図４及び図７は順に、実施形態に係る外装材の取付け方法を説明する工程図であり、図７は、この取付け方法にて施工された外装材の取付け構造をともに示す図である。なお、各図においては、ファサード１０の外装材が取付けられる側面を中心に外壁パネルの柄模様を図示し、他の壁面における柄模様の図示を省略している。
【００３４】
実施形態にかかる外装材の取付け方法及び取付け構造の説明において、その対象を、鉄骨造の二階建て住宅として以下説明する。図１に示す住宅１００は、玄関ドア１０１を有して玄関が奥側に窪んだ位置にある外壁側面が住宅１００のファサード１０（外観上象徴的な面）であり、このファサード１０のうち、外側へ張り出した外壁領域の一部を外装材の取付け領域とする。住宅１００は、不図示の通し柱及び大梁から形成される構造躯体に対して、窯業系サイディング材等からなる平面形状が矩形の外壁パネル１１を上下方向と水平方向（幅方向）に取り付けることにより、その外壁が形成されている。構造躯体は、例えば角形鋼管にて形成される柱に対して、Ｈ形鋼等の形鋼材から形成される大梁がボルト等にて接続されることにより基本骨格である門型架構等を形成し、この門型架構等に対して、型鋼材等から形成されるブレース材や梯子型耐力壁架構等が内蔵されることにより構成されている。
【００３５】
上下方向に積み上げられた複数の外壁パネル１１の列と列の間には、縦目地１２が形成されている。図示例では、二列の上下方向に積み上げられた外壁パネル１１ごとに、縦目地１２が設けられている。そして、各縦目地１２のうち、ファサード１０の上方（側面の上側半分）の外装材の取付け領域には、間隔を置いて三つの持出し材２０が持出されている。従って、三本の縦目地１２に対して合計九つの持出し材２０が図示されている。この持出し材２０の数は、持出し材２０の剛性と、各持出し材２０が支持する外装材の重量等によって設定され、例えば、一つの縦下地材を上下二つの持出し材２０で支持する形態であってもよい。
【００３６】
この持出し材２０はボルト孔を有するガセットプレートから形成されており、構造躯体を形成する例えば角形鋼管等からなる柱に対して溶接等で接続されている。新築の住宅１００においては、外装材の取付けを見越して、縦下地材１２からガセットプレート２０を持出しておく。また、既設の住宅１００においては、縦目地１２の周囲の外壁パネル１１を取り外して柱の側面を露出させ、必要に応じて柱に強度補強を施しながら当該柱にガセットプレート２０を固定し、外壁パネル１１を再度取り付けることにより、ガセットプレート２０の持出しが行われる。
【００３７】
縦目地１２に持出し材２０を位置決めすることにより、上下方向および水平方向に並ぶ外壁パネル１１の並びを阻害することなく、持出し材２０の持出しを行うことができる。なお、図示を省略するが、縦目地１２の他に横目地を有する側面おいて、横目地から持出し材を持出す形態であってもよい。
【００３８】
次に、図２及び図３を参照して、各縦目地１２から持出されている複数の持出し材２０に固定される縦下地材について説明する。ここで、図２は、固定金具と係合金具が取付けられている縦下地材の一例の斜視図であり、図３は、図２のIII−III矢視図である。図示する縦下地材３０は、山形鋼から形成される。山形鋼の一方の金属片のうち、一つの縦目地１２から持出されている３つのガセットプレート２０のボルト孔に対応する位置には、二つ×三組の合計六つのボルト孔３１が開設されている。
【００３９】
一方、山形鋼３０の他方の金属片には、その上方において固定金具４０が不図示のボルト孔を介してボルトナット６１にて固定され、その下方において係合金具５０が不図示のボルト孔を介してボルトナット６２にて固定されている。
【００４０】
すなわち、図示例の取付け方法では、持出し材２０への縦下地材３０の取付けに先行して、縦下地材３０に対して固定金具４０と係合金具５０を地組しておく方法である。従って、図示例の取付け方法では、四本の縦下地材３０を住宅１００の外壁に取付けるに当たり、４本の縦下地材３０に対して固定金具４０と係合金具５０を予め取付けておく。
【００４１】
固定金具４０は、鋼製プレートに対して、切り込み加工と、曲げ加工が施されることにより、三次元的な形状に製作されている。固定金具４０は、縦下地材３０にボルト固定される取付け片４１と、外装材が固定される固定片４２と、縦下地材３０の角部に対して係合する係合片４３とを有する。図３に示すように、固定片４２に開設されている第一ボルト孔４２ａはその孔壁面に螺子切りが設けてあり、ボルト６３が下方から螺合されて固定片４２に固定されている。すなわち、縦下地材３０に固定金具４０が取付けられているのみならず、固定金具４０に対してボルト６３が上方に向いた姿勢で固定された状態で縦下地材３０が持出し材２０に取付けられる。
【００４２】
例えば数ｍｍ程度の固定片４２の肉厚部の螺子切りに対して、ボルト６３の螺子切りが螺合しているのみであるが、双方の螺合にて上向きのボルト６３は下方に落下することなく、固定金具４０の固定片４２に固定された状態を保持することができる。
【００４３】
図３に示すように、持出し材２０に対して縦下地材３０が取付けられた後、既に縦下地材３０に取付けられている固定金具４０に上向き姿勢で固定されているボルト６３に対して、外装材を形成する上方の横桟（図５、図６参照）のボルト孔が挿通され、ナット６４にて締付け固定される。
【００４４】
一方、係合金具５０も、鋼製プレートに対して、切り込み加工と、曲げ加工が施されることにより、三次元的な形状に製作されている。係合金具５０は、縦下地材３０にボルト固定される取付け片５１と、外装材が係合した状態で載置される載置片５２と、縦下地材３０の角部に対して係合する係合片５３とを有する。載置片５２は段状を呈しており、鉛直方向に延びる取付け片５１から９０度屈曲して水平方向に延び、さらに９０度屈曲して鉛直方向に延びている。この鉛直方向に延びている金属片には、外装材を形成する下方の横桟（図５参照）が係合するようになっている。
【００４５】
縦下地材３０を形成する山形鋼の金属片の角部に対して、固定金具４０の係合片４３と係合金具５０の係合片５３がいずれも係合している。このように縦下地材３０の一つの角部に対して固定金具４０と係合金具５０が係合片４３，５３を介して係合することにより、それぞれの取付け片４１，５１を縦下地材３０に対して一本のボルトナットにて固定しても、固定金具４０と係合金具５０の正しい姿勢を保持することができる。仮に係合片４３，５３がないとした場合は、取付け片４１，５１を二本以上のボルトナットにて固定しないと、固定片４２の水平姿勢や載置片５２の鉛直姿勢を正しく保持し難く、これらがすぐに回転してしまい、外装材の取付けの際にこれらの姿勢を正しい姿勢に直す手間が生じ得る。
【００４６】
また、縦下地材３０の一つの角部に対して係合片４３，５３を係合させた状態で、固定金具４０や係合金具５０を電動ドライバー等でナット締めすることにより、このナット締めの際に固定金具４０や係合金具５０が共廻りすることが解消され、速やかな取付けが実現できる。
【００４７】
次に、図４に示すように、固定金具４０と係合金具５０が地組された縦下地材３０を、不図示の仮設足場を介して、あるいは高所作業車等を介して取付け位置まで搬送し、各縦目地１２から持出されている上中下の位置にある一組の持出し材２０に対して取付ける。この縦下地材３０の取付けは、各ガセットプレート２０のボルト孔と縦下地材３０の対応するボルト孔を位置決めし、ボルト固定することにより行う。
【００４８】
図４において、左右端の各組の持出し材２０に対しては、一つの縦下地材３０が取付けられる。なお、より具体的には、図４の左端の組の三つの持出し材２０に対しては、図２に示す縦下地材３０が取付けられるが、右端の組の三つの持出し材２０に対しては、図２に示す縦下地材３０とは線対称の関係にある形態の縦下地材（図２において、持出し材２０に取付けられる金属片が逆側にあり、固定金具４０と係合金具５０の各係合片４３，５３が逆側の角部に係合している形態）が取付けられる。
【００４９】
また、図４において、中央にある組の三つの持出し材２０に対しては、その左右にそれぞれ縦下地材３０を配設してそれらの固定を図る。すなわち、中央にある組の三つの持出し材２０は、その左右側に配設される左右の外装材を固定するための２つの縦下地材３０を支持する。従って、持出し材２０の数を可及的に少なくしながら、複数の外装材の取付けを行うことが可能になる。図示例は、二つの縦下地材３０を支持する中央の組の持出し材２０を一組有する形態であるが、ファサードが横方向に広がった建物において、図示する中央の組に対応する持出し材２０（左右の外装材を支持する持出し梁の組）の数がより一層多くなる形態において、この効果は一層顕著になる。
【００５０】
以上、建物１００の外壁の縦目地１２から持出されている各組の持出し材２０に対して、それぞれ固有の縦下地材３０を取付けることにより、外装材の取付け準備が完了する。図４においては、ファサード１０において４つの縦下地材３０が取付けらており、二つの縦下地材３０からなる一組の縦下地材３０に対して一つの外装材が支持されることになる（以上、縦下地材取付け工程）。
【００５１】
次に、図５，６を参照して、縦下地材３０に取付けられる外装材の一例を説明する。図示する外装材９０は、リップ溝形鋼から形成される上方の横桟７１と、同様にリップ溝形鋼から形成される下方の横桟７２と、間隔を置いて水平方向に配設され、上下の横桟７１，７２に固定されている複数の縦ルーバー８０とを有する。
【００５２】
図５に示すように、上方の横桟７１は、リップ溝形鋼の開口を上方に向けた姿勢で組み付けられ、一方、下方の横桟７２は、リップ溝形鋼の開口を下方に向けた姿勢で組み付けられる。図６に示すように、上方の横桟７１は、縦下地材３０に取付けられている固定金具４０に対して上方に向いた姿勢で固定されているボルト６３（図２参照）が挿通される、第二ボルト孔７１ａを有している。また、図５に示すように、下方の横桟７２は、リップ溝形鋼のうち、縦ルーバー８０側の金属片の一部が曲げ加工され、この曲げ加工された箇所において縦ルーバー８０との間に隙間を形成する係合窪み７２ａが形成されている。なお、下方の横桟７２は、図示例のように係合窪み７２ａを具備しない形態であってもよい。この形態では、係合金具５０の載置片５２に載置される外装材９０の端部の縦ルーバー８０と載置片５２が干渉しないように、例えば図２に示す載置片５２において、その中心から左右いずれか半分の片が切断された載置片を有する係合金具を適用し、このように載置片が縦ルーバー８０から逃げた形態の係合金具に対して外装材９０が載置される。
【００５３】
このように、外装材９０は、上下の横桟７１，７２と、これらの横桟７１，７２に固定されて、様々な外観意匠性を醸し出す部材（図示例は、複数の縦ルーバー８０）とを有する。縦ルーバー８０は、木製、樹脂製、金属製等、様々な素材のものが適用でき、素材ごとに固有の外観意匠性や雰囲気を有する。また、各横桟７１，７２に対して、縦ルーバー８０を図示例のように直交して配設する代わりに、斜め方向に配設してもよいし、丸棒等の縦ルーバーを適用することで温かみのある雰囲気を醸し出すことができる。また、例えば縦ルーバー８０が木桟からなる場合に、上下の横桟７１，７２も同素材の木桟から形成することにより、全体として統一感のある外装材９０が形成できる。
【００５４】
このように、外装材９０には、様々な形態があり得るが、以下、図示を省略しながら、さらに他の形態を例示する。
【００５５】
（Ａ）一組の前記横桟と複数のルーバーを有する外装材（図示例）、
（Ｂ）一組の前記横桟と植栽パネルを有する外装材、
（Ｃ）一組の前記横桟と蔀戸を有する外装材、
（Ｄ）一組の前記横桟と広告掲示板を有する外装材、
（Ｅ）一組の前記横桟と太陽光パネルを有する外装材などを挙げることができる。
【００５６】
建物１００が店舗等の場合には、広告掲示板（コマーシャル性のある看板）が外装材９０として適用でき、この広告提示板は、文字や絵柄が刻印されたものやペイントされたものの他、電光掲示板などであってもよい。また、太陽光パネルを有する外装材は、太陽光パネルによる発電は勿論のこと、太陽光パネルが壁面に露出することにより、テクノロジックなイメージを醸し出すことができる。
【００５７】
図７に示すように、一つの外装材９０を二つの縦下地材３０に固定することにより、図示例では二つの外装材９０にてファサード１０における外装材の取付けが行われ、実施形態に係る外装材の取付け構造２００が形成される。
【００５８】
縦下地材３０に対する外装材９０の取付け方法をより詳細に説明すると、例えば高所作業車に乗った作業員が、把持した外装材９０における下方の横桟７２の係合窪み７２ａを、縦下地材３０に取付けられている係合金具５０の載置片５２に差し込んでいくことにより（図５のＺ方向）、外装材９０の左右の係合金具５０に対する係合が図られる。このように載置片５２を係合窪み７２ａに差し込んだ状態で、外装材９０の上方の横桟７１を固定片４２の上方に持ち運び、上方に向いた状態で固定金具４０に固定されているボルト６３に対して横桟７１の第二ボルト孔７１ａを挿通することにより、左右二本の縦下地材３０に対する外装材９０の仮固定が行われる。
【００５９】
仮固定された状態の外装材９０に対して、上方の横桟７１の第二ボルト孔７１ａから上方に突き出ているボルト６３をそれぞれナット６４にて締付けることにより（図３参照）、外装材９０の本固定が行われ、外装材９０が外壁に取付けられる（以上、外装材取付け工程）。
【００６０】
このように、外装材９０の取付けに際して、縦下地材３０に対して外装材９０の上下を全てボルト固定するのではなくて、外装材９０の下方は係合金具５０に係合載置し、上方のみ固定金具４０にボルト固定することにより、外装材９０の取付け性が良好になる。そしてこの良好な取付け性は、外装材９０の面積が大きくなり、あるいは外装材９０の数が多くなるにつれて一層顕著になる。
【００６１】
また、外装材９０の取付けに際して、上方の固定金具４０に対してボルト６３が既に上方を向いた姿勢で固定されていることから、上方の横桟７１の第二ボルト孔７１ａをボルト６３に挿通し、速やかにナット締めすることができ、このことによっても優れた取付け性が奏される。
【００６２】
なお、図示例の取付け方法は、縦下地材３０に対して固定金具４０と係合金具５０が地組されたものを縦下地材取付け工程にて持出し材２０に取り付ける方法であるが、これ以外の取付け方法であってもよい。具体的には、固定金具４０や係合金具５０が地組されていない縦下地材３０を取付ける縦下地材工程と、次いで、縦下地材３０に対して固定金具４０と係合金具５０を取付ける金具取付け工程と、縦下地材３０に対して外装材９０を取付ける外装材取付け工程と、を有する取付け方法が挙げられる。この取付け方法はさらに二つの形態を有している。その一つの形態は、外壁に取付けられている複数の縦下地材３０に対して、金具取付け工程にて全ての金具を取付けた後、外装材取付け工程にて全ての外装材９０を連続的に取付ける形態である。また、他の形態は、金具取付け工程と外装材取付け工程を交互に繰り返す形態である。例えば、金具取付け工程において一つの外装材９０に対応した固定金具４０及び係合金具５０を縦下地材３０に取り付けた後、外装材取付け工程としてこの一つの外装材９０を取付け、これを他の外装材９０に対しても同様に行う形態である。いずれの形態の取付け方法であっても、優れた取付け性が奏される。
【００６３】
なお、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００６４】
１０：ファサード、１１：外壁パネル、１２：縦目地、２０：持出し材（ガセットプレート）、３０：縦下地材（山形鋼）、４０：固定金具、４１：取付け片、４２：載置片、４２ａ：第一ボルト孔、４３：係合片、５０：係合金具、５１：取付け片、５２：載置片、５３：係合片、６３：ボルト、６４：ナット、７１：横桟（上方の横桟）、７１ａ：第二ボルト孔、７２：横桟（下方の横桟）、７２ａ：係合窪み、８０：ルーバー（縦ルーバー）、９０：外装材、１００：建物（住宅）、２００：取付け構造（外装材の取付け構造）
【図１】
2019163664.tif 000003
【図２】
2019163664.tif 000004
【図３】
2019163664.tif 000005
【図４】
2019163664.tif 000006
【図５】
2019163664.tif 000007
【図６】
2019163664.tif 000008
【図７】
2019163664.tif 000009